(57)【要約】【課題】  椅子の背もたれ部に内装される内装型マッサージ器、又は単独携帯型マッサージ器等に使用される回転マッサージ器において、もみ玉を覆うカバーの摩耗、損傷を抑制し、しかも十分なマッサージ効果を発揮することのできる回転マッサージ器を提供することを課題とする。【解決手段】  モータの駆動により、円形板面の中心を回転中心として回転駆動される円形回転板において、  上記回転板の円形板面上に複数のブラケットを固定し、各ブラケットにコロ形もみ玉を、該コロ形もみ玉の軸心線を上記円形板面の直径線上においた状態で、それぞれ回転自在に軸支した、回転マッサージ器。【選択図】        図２
0003102072.tif 000002
【実用新案登録請求の範囲】
【請求項１】
モータの駆動により、円形板面の中心を回転中心として回転駆動される円形回転板において、
上記回転板の円形板面上に複数のブラケットを固定し、各ブラケットにコロ形もみ玉を、該コロ形もみ玉の軸心線を上記円形板面の直径線上においた状態で、それぞれ回転自在に軸支した、
回転マッサージ器。
【請求項２】
モータの駆動により、円形板面の中心を回転中心として回転駆動される円形回転板において、
上記回転板の円形板面上に複数の旋回台を固定し、各旋回台上にブラケットをそれぞれ上記回転板面上で旋回自在に軸支し、
上記各ブラケットにコロ形もみ玉を、該コロ形もみ玉の軸心線を上記回転板面と平行においた状態で、それぞれ回転自在に軸支した、
回転マッサージ器。
【考案の詳細な説明】
【技術分野】
【０００１】
本願考案は、椅子の背もたれ部に内装される椅子内装型マッサージ器、又は単独携帯型マッサージ器等に使用される回転マッサージ器に関する。
【背景技術】
【０００２】
従来、例えば椅子の背もたれ部に内装された回転マッサージ器として、モータにより回転される回転円板面に、背もたれカバーの裏面がわら突出する複数本の軸を突設し、該軸の先端に半球状もみ玉をそれぞれ固定した構造のもので、上記円板の回転により各もみ玉を背もたれカバーの裏面をこすりながら公転させるものが広く実施されている。
【０００３】
しかし、上記の従来器では、もみ玉が背もたれカバーをこすりながら公転するため、背もたれカバーの摩耗が激しく、これを改善するため、もみ玉の公転範囲を柔軟なナイロン等のシートカバーで覆ったものが提案されたが、もみ玉による激しい摩擦熱によりシートカバーに変形を与え、遂には破損させてしまうことが多く、依然として耐用性に問題が残されていた。
【考案の開示】
【考案が解決しようとする課題】
【０００４】
本願考案は、もみ玉を覆うカバーの摩耗、破損を抑制し、しかも十分なマッサージ効果を発揮することのできる回転マッサージ器を提供することを課題とする。
【課題を解決するための手段】
【０００５】
上記課題解決の手段として、本願第１考案は、
モータの駆動により、円形板面の中心を回転中心として回転駆動される円形回転板において、
上記回転板の円形板面上に複数のブラケットを固定し、各ブラケットにコロ形もみ玉を、該コロ形もみ玉の軸心線を上記円形板面の直径線上においた状態で、それぞれ回転自在に軸支した、
回転マッサージ器を提案し、
【０００６】
また、本願第２考案は、
モータの駆動により、円形板面の中心を回転中心として回転駆動される円形回転板において、
上記回転板の円形板面上に複数の旋回台を固定し、各旋回台上にブラケットをそれぞれ上記回転板面上で旋回自在に軸支し、
上記各ブラケットにコロ形もみ玉を、該コロ形もみ玉の軸心線を上記回転板面と平行においた状態で、それぞれ回転自在に軸支した、
回転マッサージ器を提案する。
【考案の効果】
【０００７】
本願第１考案の回転マッサージ器によれば、コロ形もみ玉に人の背中等の被マッサージを当接した状態で回転板を回転させると、それに伴ってコロ形もみ玉が回転板の中心について公転しつつ被マッサージ面との当接により自転することとなり、それにより従来のようにもみ玉がカバーを擦ることがなくなり、カバーの摩耗、損傷を抑制することができ、しかもコロ形もみ玉の公転により十分なマッサージ効果も果たすことができるのである。
【０００８】
本願第２考案の回転マッサージ器によれば、上記第１考案の効果に加え、人が本器によるマッサージを受けているときに、例えば背中を左右又は上下に移動させたとき、コロ形もみ玉がその旋回構造によって左右又は上下に向きを変えて自転を継続することができ、このように人が被マッサージ面を不規則方向に移動させたときにも、コロ形もみ玉が該不規則方向へ向きを変えて自転を行い、カバーを擦ることを防止することができるのである。
【考案を実施するための最良の形態】
【０００９】
本願考案における上記「コロ形もみ玉」の軸心線を通る平面で切断した切断面形状は、矩形、長円形、円形等があり、又軸心線と垂直の平面で切断した切断面の形状は、円形、多角形、歯車形等がある。
【００１０】
又、上記複数のコロ形もみ玉の回転板面からの突出高さは、全もみ玉を同一高さとしたもの、一部のもみ玉を他部より高くしたもの等がある。
【実施例】
【００１１】
図１は、本願第１考案をオフィス、マージャン店、パチンコ店等で使用される業務用椅子の背もたれ部（Ｂ）に内装された回転マッサージ器に実施した例で、該背もたれ部（Ｂ）内部の基板（１）裏面に、ギヤケース（２）を固定すると共に、該ギヤケース（２）の前面に設けたもみ玉（４）…つき回転板（３）、（３）を上記基板（１）に開設した丸窓（５）、（５）に回転自在にのぞませ、そのもみ玉（４）…、（４）…を背もたれカバー（Ｃ）の裏面にナイロンカバー（５）を介して当接してある。
【００１２】
上記ギヤケース（２）は図２に示すようにほぼＴ形のものでそのウェブ部（６）内にモータ（７）を支持し、該モータ（７）の出力軸にウォーム（８）の軸（９）一端部を接続すると共に、軸（９）他端部を軸受部（１０）に支承し、このウォーム（８）の左右両側にあって該ウォーム（８）とそれぞれかみ合うウォームホイル（１１）、（１１）の各軸（１２）、（１２）を上記ケース（２）のフランジ部（１３）内に回転自在に支持すると共に、その各一端部をケース（２）の前面がわに突出し、各突出端部に円形回転板（３）、（３）をそれぞれ固着し、該回転板（３）、（３）の前面に４個づつのコロ形もみ玉（４）…を軸（１２）を中心とする円弧上に等間隔で突設してある。
【００１３】
上記コロ形もみ玉（４）…は、回転板（３）面に固定したブラケット（１４）…に軸（１５）…により回転自在に支承したもので、それらの軸（１５）…の軸心線を回転板（３）の円形面における直径線上においた状態に位置させてある。  
【００１４】
本例では、上記コロ形もみ玉（４）…は、その軸（１５）の軸心線を通る平面で切断した切断面形状を長円形とした円形コロで、これらコロ形もみ玉（４）…の回転板（３）面からの突出高さは周方向に交互に高低をつけてある。
【００１５】
上記のようなギヤケース（２）をネジ（１６）…により上記基板（１）の裏面に固定し、各もみ玉（４）…を上述のように背もたれカバー（Ｃ）の裏面に突出させる。上記モータ（７）には、上記基板（１）の裏面に取りつけた蓄電式バッテリー（１７）、マッサージ作動時間を制限するタイマー（１８）、家庭電源とバッテリー電源のいずれかを選択使用するための交・直変換器、及び椅子のひじ掛け（Ｅ）に設けた電源スイッチ（１９）を含む電気回路が接続される。
【００１６】
上例の作用を次に説明する。人が椅子に腰かけ、背中を背もたれ部（Ｂ）にもたれさせた状態で、スイッチ（１９）を押してモータ（７）を始動させると、その回転が軸（９）を経てウォーム（８）に、ついで該ウォーム（８）とかみ合うウォームホイル（１１）、（１１）にそれぞれ伝達され、これらウォームホイル（１１）、（１１）から軸（１２）、（１２）を経て回転板（３）、（３）にそれぞれ伝達される。回転板（３）、（３）の回転により各回転板のコロ形もみ玉（４）…、（４）…が回転板（３）、（３）の中心について公転しつつ、人の背中にナイロンカバー（Ｓ）を介し接して自転し、それにより人の背中にマッサージ作用を行う。その際各コロ形もみ玉（４）…は、ナイロンカバー（Ｓ）の裏面を自転しつつ円滑に公転走行し、該ナイロンカバー（Ｓ）を損傷することはない。
【００１７】
図３は本願第２考案を図１、２と同様の回転マッサージ器に実施した例で、回転板（３ａ）の円形前面に、４個の旋回台（２０ａ）…を軸（１２ａ）を中心とする円弧上に等間隔で固定し、各旋回台（２０ａ）…にブラケット（１４ａ）…を、本例では、ボールベアリング（２１ａ）…を介してそれぞれ旋回自在に軸支し、各ブラケット（１４ａ）…にコロ形もみ玉（４ａ）…を、その軸心線を回転板（３ａ）面と平行に位置させた状態で、軸（１５ａ）…により回転自在に支承し、他の構造は図１、２と実質的に同一である。
【００１８】
本例によれば、人が背中をもみ玉（４ａ）…に当接した状態で回転板（３ａ）、（３ａ）を回転すると、各コロ形もみ玉（４ａ）…が公転しつつ自転してカバーを擦ることなくマッサージ作用を行う。その際、人が背中を左右又は上下に動かすと、各コロ形もみ玉（４ａ）…がその旋回構造によって直ちに左右又は上下に向きを変えて自転を継続し、それにより各もみ玉（４ａ）…がカバーを擦ることなく左右又は上下のマッサージも行うのである。
【図面の簡単な説明】
【００１９】
【図１】本願第１考案による椅子内装型マッサージ器を備える椅子の一部切欠側面図である。
【図２】（イ）回転マッサージ器の一部切欠拡大正面図である。（ロ）（イ）図のＡ−Ａ線断面図である。
【図３】本願第２考案によるマッサージ器の図２（ロ）と同様の切断面による拡大断面図である。
【符号の説明】
【００２０】
３、３ａ  回転板
４、４ａ  コロ形もみ玉
７、７ａ  モータ
１４、１４ａ  ブラケット
１５、１５ａ  軸
２０ａ  旋回台
２１ａ  ボールベアリング
【図１】
0003102072.tif 000003
【図２】
0003102072.tif 000004
【図３】
0003102072.tif 000005